【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
ネットワークと、
それぞれネットワークにインタフェースされた２つ以上のＩＰ電話ユニットと、
ＩＰ電話ユニットのそれぞれで実行されるインターネットプロトコル（ＩＰ）電話ソフトウェアのインスタンスとを備える、インターネットプロトコル（ＩＰ）電話システムであって、
ＩＰ電話ユニットが、ソフトウェアインスタンスを実行することによって、ネットワークにおいて組織グループを形成するように自動的に協働し、かつネットワークにいかなるスイッチもサーバも無い状態で、ＩＰ電話ユニットのユーザに電話機能を提供することを特徴とする、システム。
【請求項２】
個々のソフトウェアインスタンスが、個々のＩＰ電話ユニットの間で、音声データだけでなくテキストおよび画像データの通信も提供する、請求項１に記載のシステム。
【請求項３】
ネットワークにインタフェースされるＩＰ電話ユニットが、組織グループとして仮想リングを形成しかつ変形させる、請求項１に記載のシステム。
【請求項４】
形成される仮想リングが、両側多重接続仮想リングである、請求項３に記載のシステム。
【請求項５】
ＩＰ電話ユニットの協働が、制御機能を提供し、それによって、活性化されると、ネットワークに接続された個々の電話ユニットをネットワークにおける仮想リングのメンバとして登録し、非活性化されると、仮想リングでのメンバシップを取り消す、請求項３に記載のシステム。
【請求項６】
個々のＩＰ電話ユニットが、大容量記憶装置を備え、ＩＰ電話ユニットの協働が、個々の局における大容量記憶装置を共用メモリとして扱う、請求項１に記載のシステム。
【請求項７】
共用メモリが、個々のＩＰ電話ユニットにおいてユーザにボイスメールサービスを提供する、請求項６に記載のシステム。
【請求項８】
共用メモリが、音声ファイル以外のデータファイルのユニット間転送および格納を可能にする、請求項６に記載のシステム。
【請求項９】
ネットワークが、ローカルエリアネットワーク（ＬＡＮ）、広域ネットワーク（ＷＡＮ）、インターネットネットワーク、またはネットワークの組み合わせのうちの１つである、請求項１に記載のシステム。
【請求項１０】
仮想リング中のノードの少なくともデータおよびソフトウェア更新のために、マルチキャスト技術が組み込まれた、請求項１に記載のシステム。
【請求項１１】
大容量記憶装置の全部または一部に、電力に依存しないフラッシュメモリが使用された、請求項６に記載のシステム。
【請求項１２】
耐障害性を提供するために、複数の電話ユニットで冗長記憶およびデータ再配置方式が実施される、請求項６に記載のシステム。
【請求項１３】
格納データに優先順位が付けられ、最も高い優先順位のデータが、より低い優先順位のデータよりも多くの場所に格納される、請求項１２に記載のシステム。
【請求項１４】
１つ以上の電話ユニットが、システムを構成する管理機能を有する管理者局として使用可能にされる、請求項１に記載のシステム。
【請求項１５】
ネットワークに接続するポートと、
ＩＰ電話ソフトウェアのインスタンスとを備える、ＩＰ電話ユニットであって、
ＩＰ電話ユニットが、ソフトウェアを実行することによって、他のＩＰ電話ユニットとパケット通信を行うネットワークにおける組織グループを形成するように自動的に協働することと、およびネットワークにいかなるスイッチもサーバも無い状態で、ＩＰ電話ユニットのユーザにＩＰ電話機能を提供することとを可能にされることを特徴とする、ＩＰ電話ユニット。
【請求項１６】
ソフトウェアインスタンスが、ネットワークで音声データだけでなくテキストおよび画像データの通信も提供する、請求項１５に記載のＩＰ電話ユニット。
【請求項１７】
ネットワークにインタフェースされるＩＰ電話ユニットが、組織グループとして仮想リングを形成しかつ変形することを可能にされる、請求項１５に記載のＩＰ電話ユニット。
【請求項１８】
形成される仮想リングが、両側多重接続仮想リングである、請求項１７に記載のＩＰ電話ユニット。
【請求項１９】
ＩＰ電話ユニットが、制御機能を提供し、それによって、活性化されると、ネットワークに接続されたＩＰ電話ユニットをネットワークにおける仮想リングのメンバとして登録し、かつ非活性化されると、仮想リングでのメンバシップを取り消す、請求項１７に記載のＩＰ電話ユニット。
【請求項２０】
ＩＰ電話ユニットが、大容量記憶装置を備え、ネットワークで協働して、大容量記憶装置が共用メモリとして扱われる、請求項１５に記載のＩＰ電話ユニット。
【請求項２１】
共用メモリが、ＩＰ電話ユニットのユーザにボイスメールサービスを提供する、請求項２０に記載のＩＰ電話ユニット。
【請求項２２】
共用メモリが、音声ファイル以外のデータファイルのユニット間転送および格納を可能にする、請求項２０に記載のＩＰ電話ユニット。
【請求項２３】
ネットワークが、ローカルエリアネットワーク（ＬＡＮ）、広域ネットワーク（ＷＡＮ）、インターネットネットワーク、またはネットワークの組み合わせのうちの１つである、請求項１５に記載のＩＰ電話ユニット。
【請求項２４】
仮想リング中のノードの少なくともデータおよびソフトウェア更新のために、マルチキャスト技術が組み込まれた、請求項１５に記載のＩＰ電話ユニット。
【請求項２５】
大容量記憶装置の全部または一部に、電力に依存しないフラッシュメモリが使用された、請求項２０に記載のＩＰ電話ユニット。
【請求項２６】
耐障害性を提供するために、冗長記憶およびデータ再配置方式が実施される、請求項２０に記載のＩＰ電話ユニット。
【請求項２７】
格納データに優先順位が付けられ、最も高い優先順位のデータが、より低い優先順位のデータよりも多くの場所に格納されるように送出される、請求項２６に記載のＩＰ電話ユニット。
【請求項２８】
ＩＰ電話ユニットが、ネットワークで協働する電話ユニットのシステムを構成する管理機能を有する管理者局として使用可能にされる、請求項１５に記載のＩＰ電話ユニット。
【請求項２９】
インターネットプロトコル（ＩＰ）電話技術の方法であって、
（ａ）ネットワークにインタフェースされた２つ以上のＩＰ電話ユニットを設けるステップと、
（ｂ）ＩＰ電話ユニットそれぞれでＩＰ電話ソフトウェアのインスタンスを実行して、ＩＰ電話ユニットが、ネットワークにおいて組織グループを形成するように自動的に協働し、かつネットワークにいかなるスイッチもサーバも無い状態で、ＩＰ電話ユニットのユーザに電話機能を提供するステップとを含む、方法。
【請求項３０】
個々のソフトウェアインスタンスが、個々のＩＰ電話ユニット間で、音声データだけでなくテキストおよび画像データの通信も提供する、請求項２９に記載の方法。
【請求項３１】
ネットワークにインタフェースされるＩＰ電話ユニットが、組織グループとして仮想リングを形成しかつ変形させる、請求項２９に記載の方法。
【請求項３２】
形成される仮想リングが、両側多重接続仮想リングである、請求項３１に記載のシステム。
【請求項３３】
電話ユニットの協働が、制御機能を提供し、それによって、活性化されると、ネットワークに接続された個々のＩＰ電話ユニットをネットワークにおける仮想リングのメンバとして登録し、かつ非活性化されると、仮想リングでのメンバシップを取り消す、請求項３１に記載のシステム。
【請求項３４】
個々のＩＰ電話ユニットが、大容量記憶装置を備え、ＩＰ電話ユニットの協働が、個々の局における大容量記憶装置を共用メモリとして扱う、請求項２９に記載の方法。
【請求項３５】
共用メモリが、個々のＩＰ電話ユニットにおいてユーザにボイスメールサービスを提供する、請求項３４に記載の方法。
【請求項３６】
共用メモリが、音声ファイル以外のデータファイルのユニット間転送および格納を可能にする、請求項３４に記載の方法。
【請求項３７】
ネットワークが、ローカルエリアネットワーク（ＬＡＮ）、広域ネットワーク（ＷＡＮ）、インターネットネットワーク、またはネットワークの組み合わせのうちの１つである、請求項２９に記載の方法。
【請求項３８】
仮想リング中のノードの少なくともデータおよびソフトウェア更新のために、マルチキャスト技術が組み込まれた、請求項２９に記載の方法。
【請求項３９】
大容量記憶装置の全部または一部に、電力に依存しないフラッシュメモリが使用された、請求項３４に記載の方法。
【請求項４０】
耐障害性を提供するために、複数の電話ユニットで冗長記憶およびデータ再配置方式が実施される、請求項３４に記載の方法。
【請求項４１】
格納データに優先順位が付けられ、最も高い優先順位のデータが、より低い優先順位のデータよりも多くの場所に格納される、請求項４０に記載の方法。
【請求項４２】
１つ以上の電話ユニットが、システムを構成する管理機能を有する管理者局として使用可能にされる、請求項２９に記載の方法。
【請求項４３】
ソフトウェアが、１つ以上のハッシュ関数を含む、請求項１に記載のＩＰ電話システム。
【請求項４４】
個々のＩＰ電話ユニットが、サーバレスネットワーク中のノードであり、ハッシュ関数が、ノードのアドレスを決定し、割り当て、かつ管理するのに使用される、請求項４３に記載のＩＰ電話システム。
【請求項４５】
ネットワークの１つ以上のノードが、ネットワークの１つ以上の他のノードのためにデータを格納し、１つ以上のハッシュ関数が、格納のためにノード識別情報を決定する際に使用される、請求項４３に記載のＩＰ電話システム。
【請求項４６】
ＩＰ電話ソフトウェアのインスタンスが、１つ以上のハッシュ関数を含む、請求項１５に記載のＩＰ電話ユニット。
【請求項４７】
ＩＰ電話ユニットおよび他のＩＰ電話ユニットが、サーバレスネットワーク中のノードを構成し、１つ以上のハッシュ関数が、ネットワーク中のノードのアドレスを決定し、割り当て、かつ管理するのに使用される、請求項４６に記載のＩＰ電話ユニット。
【請求項４８】
ネットワーク上の１つ以上のノードが、ネットワークの１つ以上の他のノードのためにデータを格納し、１つ以上のハッシュ関数が、格納のためにノード識別情報を決定する際に使用される、請求項４６に記載のＩＰ電話ユニット。
【請求項４９】
請求項１に記載のＩＰ電話システムであり、ソフトウェアが、１つ以上のハッシュ関数を含む、請求項２９に記載の方法。
【請求項５０】
個々のＩＰ電話ユニットが、サーバレスネットワーク中のノードであり、ハッシュ関数が、ノードのアドレスを決定し、割り当て、かつ管理するのに使用される、請求項４９に記載の方法。
【請求項５１】
ネットワークの１つ以上のノードが、ネットワークの１つ以上の他のノードのためにデータを格納し、１つ以上のハッシュ関数が、格納のためにノード識別情報を決定する際に使用される、請求項４９に記載の方法。